(57)【要約】【課題】ビーカ依頼からビーカ受領までの所要時間を大幅に短縮する。【解決手段】試色進捗管理部１と、試色依頼部２と、色見本選択部３と、色見本データベース４と、試色依頼データベース５と、データ入力のための入力装置６と、試色進捗データなどを表示するための表示装置７とを有している。【選択図】  図２
2004220349.tif 000002
【特許請求の範囲】
【請求項１】
少なくとも試色依頼者と試色業者との間で試色依頼のために必要な処理を行うシステムであって、
試色依頼者が試色依頼のためのデータを入力することを許容する依頼者用データ入力手段と、試色依頼者が出来上がった試色に対して再試色依頼を含む評価・応答を入力する評価応答入力手段と、試色進捗状況を表示する依頼者用表示手段と、試色依頼のためのデータを入力として予め設定されている標準データベースを参照して標準データを生成する標準データ生成手段と、試色進捗状況を管理する進捗状況管理手段と、試色依頼者が入力したデータ、対応する標準データ、および試色進捗状況を表示する業者側表示手段と、試色業者が試色依頼に応答する作業予定、進捗状況を入力することを許容する業者用データ入力手段とを含んでいることを特徴とする試色依頼システム。
【請求項２】
試色依頼者と試色業者との間に介在する中間業者が補充データを入力することを許容する中間業者用データ入力手段と、試色進捗状況を表示する中間業者用表示手段とをさらに含む請求項１に記載の試色依頼システム。
【発明の詳細な説明】
【０００１】
【発明の属する技術分野】
本発明は、ビーカ依頼に代表される試色依頼の処理を行うためのシステムに関する。
【０００２】
【従来の技術】
従来から、繊維製品を量産する前に、ビーカ依頼を行って試し染めをした糸、布を得、所望の色を確認することが一般的に行われている。
【０００３】
具体的には、例えば図１に示すように、ビーカ依頼者と、中間業者と、染色業者とが存在する場合に、ビーカ依頼者がビーカ依頼書に記入して、中間業者にファクシミリなどで通信する。ビーカ依頼者は同時に中間業者に色見本を送付する。
【０００４】
中間業者は、送られてきたビーカ依頼書にビーカ加工条件を記入してビーカ依頼書を完成させ、染色業者にファクシミリなどで通信する。中間業者は同時に染色業者に色見本を送付する。
【０００５】
染色業者は、ビーカ依頼書および色見本を受け取って、ビーカ社内指図を行い、中間業者にビーカ納期を回答する。もちろん、同時にビーカ染色を行い、染色後に中間業者に向けてビーカ出荷を行う。
【０００６】
中間業者は、ビーカ納期をビーカ依頼者に通知し、受け取ったビーカをビーカ依頼者に出荷する。
【０００７】
ただし、染色業者からビーカ依頼者に直接にビーカ出荷を行ってもよい。
【０００８】
また、ビーカを受け取った試色依頼者は、ビーカを見て評価し、評価結果を通信し、好ましくない評価結果が得られた場合には、再試色依頼（上記ビーカ依頼と同様の処理）を行う。
【０００９】
【発明が解決しようとする課題】
図１に示すビーカ依頼処理を行う場合には、ビーカ依頼者毎に独自の色見本を採用していることに起因して、実際の色見本の送付が必須であるから、試色依頼者がビーカ依頼してから試色業者がビーカ評価結果を受領するまでの所要時間が著しく長くなってしまう。
【００１０】
なお、ビーカ処理以外の試色処理についても同様の不都合が生じる。
【００１１】
本発明は上記の問題点に鑑みてなされたものであり、試色依頼者がビーカ依頼してから試色業者がビーカ評価結果を受領するまでの所要時間を大幅に短縮することができる試色処理システムを提供することを目的としている。
【００１２】
【課題を解決するための手段】
請求項１の試色処理システムは、少なくとも試色依頼者と試色業者との間で試色依頼のために必要な処理を行うものであって、試色依頼者が試色依頼のためのデータを入力することを許容する依頼者用データ入力手段と、試色依頼者が出来上がった試色に対して再試色依頼を含む評価・応答を入力する評価応答入力手段と、試色進捗状況を表示する依頼者用表示手段と、試色依頼のためのデータを入力として予め設定されている標準データベースを参照して標準データを生成する標準データ生成手段と、試色進捗状況を管理する進捗状況管理手段と、試色依頼者が入力したデータ、対応する標準データ、および試色進捗状況を表示する業者側表示手段と、試色業者が試色依頼に応答する作業予定、進捗状況を入力することを許容する業者用データ入力手段とを含んでいるものである。
【００１３】
請求項２の試色処理システムは、試色依頼者と試色業者との間に介在する中間業者が補充データを入力することを許容する中間業者用データ入力手段と、試色進捗状況を表示する中間業者用表示手段とをさらに含むものである。
【００１４】
【作用】
請求項１の試色処理システムであれば、少なくとも試色依頼者と試色業者との間で試色依頼のために必要な処理を行うに当たって、依頼者用データ入力手段によって、試色依頼者が試色依頼のためのデータを入力することを許容し、進捗状況管理手段によって試色進捗状況を管理し、依頼者用表示手段によって試色進捗状況を表示し、標準データ生成手段によって、試色依頼のためのデータを入力として予め設定されている標準データベースを参照して標準データを生成する。そして、業者側表示手段によって、試色依頼者が入力したデータ、対応する標準データ、および試色進捗状況を表示し、業者用データ入力手段によって、試色業者が試色依頼に応答する作業予定、進捗状況を入力することを許容することができる。試色依頼者は、評価応答入力手段によって、出来上がった試色に対して再試色依頼を含む評価・応答を入力することができる。
【００１５】
したがって、実際の色見本の送付を必要とすることなく、試色依頼者が要求する色を試色業者に伝えることを可能とし、この結果、全体としての所要時間を大幅に短縮することができ、しかも、誰でも簡単に進捗状況を把握することができる。
【００１６】
請求項２の試色処理システムであれば、試色依頼者と試色業者との間に介在する中間業者が補充データを入力することを許容する中間業者用データ入力手段と、試色進捗状況を表示する中間業者用表示手段とをさらに含むのであるから、中間業者が介在する場合にも、請求項１と同様の作用を達成することができる。
【００１７】
【発明の実施の形態】
以下、添付図面を参照して、本発明の試色処理システムの実施の形態を詳細に説明する。
【００１８】
図２は本発明の試色処理システムの一実施形態としてのビーカ依頼システムを示す概略図である。
【００１９】
このビーカ依頼システムは、インターネットなどを介してサーバに接続されたものであり、試色進捗管理部１と、試色依頼部２と、色見本選択部３と、色見本データベース４と、試色依頼データベース５とを有している。なお、６はデータ入力のための入力装置であり、７は試色進捗データなどを表示するための表示装置である。
【００２０】
図３は本発明の試色処理システムの他の実施形態としてのビーカ依頼システムを示す概略図であり、図２のビーカ依頼システムと異なる点は、全体がサーバに設けられた点のみである。
【００２１】
前記試色依頼データベース５は、試色依頼に必要なデータを保持するものであり、試色進捗管理部１、試色依頼部２との間でデータを授受するとともに、サーバにデータを送出するものである。
【００２２】
前記色見本データベース４は、例えば、パントーン（ＰＡＮＴＯＮＥ）社の色コードに代表される標準色データを保持するものであり、色見本選択部３からの色選択データに応答して少なくとも１つの標準色データを出力するものである。
【００２３】
前記試色進捗管理部１は、入力装置６から入力されたデータなどを常時監視し、現在の試色処理の進捗状態を把握するものである。そして、試色処理の進捗状態を表示装置７により表示することができる。
【００２４】
前記試色依頼部２は、試色進捗管理部１を通して供給されるデータを入力として必要な依頼処理を行うものである。そして、依頼処理を完成させるために、色見本選択部３に色見本選択指示を供給し、色見本選択部３から対応する標準色データを受け取るようにしている。
【００２５】
図４は上記のビーカ依頼システムの作用を説明するフロー図である。
【００２６】
ビーカ依頼者、染色業者は、自己のパソコンなどの入力装置６を用いて必要なデータ（ビーカ依頼データ、ビーカ納期データなど）を入力し、インターネット８を介してサーバのビーカ依頼システムの試色進捗管理部１に供給する。
【００２７】
この試色進捗管理部１は、受け取ったデータを用いてビーカ依頼の現在の進捗状況を示す進捗照会データを生成する（例えば、図５参照）。
【００２８】
そして、必要に応じて、ビーカ依頼に必要な情報の入力を行う（この場合には、色情報を画面から選択する処理、および選択した色情報を登録する処理をさらに行う）処理（試色依頼処理）、補充データの入力を行う処理（補充入力処理）、ビーカ上がりの確認（ビーカ上がりが満足できないものである場合には、ビーカ再依頼データを自動作成する処理を行う、すなわち、試色確認処理または再試色依頼処理を行う）、試色上がり予定の入力を行う処理（試色納期回答処理）、出荷実績の入力を行う処理（出荷処理）を行い、これらの処理結果を再び試色進捗管理部１に供給するようにしている。
【００２９】
この進捗照会データは、ビーカ依頼者、中間業者、染色業者を表示する主体表示欄と、品番表示欄と、参照番号表示欄と、内容表示のための明細キー表示欄と、再依頼の有無の表示欄と、色数、作成数の表示欄と、依頼日表示欄と、色確認日表示欄と、希望納期、回答納期の表示欄と、見本出荷日、見本受領日の表示欄と、変更連絡の表示欄と、新規依頼作成用のキーと、検索条件設定欄とを含んでいる。そして、進捗照会データに近接させて、アラームキー、発生状況キー、メモ一覧キー、生機入庫照会キー、染指図照会キー、ビーカキー、設定キーを設けている。
【００３０】
前記進捗照会データの表示画面において、新規依頼作成用のキーを操作すれば、図６に示す試色依頼データ入力画面、および図７に示す色情報取得画面が表示される。図６の試色依頼データ入力画面は、品番入力欄、加工種別入力欄、企画年入力欄（もしくは企画年選択欄）、素材／混率入力欄、参照番号入力欄、希望納期入力欄、元見本出荷日入力欄、中間業者入力欄（もしくは中間業者選択欄）、および染色業者入力欄を有している。そして、リストキー、および色追加キーを有している。
【００３１】
図７の色情報取得画面は、ビーカ依頼者が使用する色番号、および色名、標準色システム（例えば、ＰＡＮＴＯＮＥ）の色番号、およびカラーネームを入力する第１入力欄、色見本の有無の表示欄、およびコメント記入欄を有しているとともに、リストキーおよび色追加キーを有している。
【００３２】
図７に示す色情報取得画面において、必要なデータ入力を行い、リストキーを操作すれば、図８に示す色情報詳細表示画面が表示される。この標準色一覧画面は、色調入力欄（もしくは色調選択欄）、色系統入力欄（もしくは色系統選択欄）、選択色表示欄、色検索キー、および決定キーを有している。
【００３３】
図８に示す色情報詳細表示画面において、必要なデータ入力を行い、色検索キーを操作すれば、図９に示す色情報選択／決定画面が表示される。この色情報選択／決定画面は、色調入力欄（もしくは色調選択欄）、色系統入力欄（もしくは色系統選択欄）、色一覧表示部、選択色表示部を有しているとともに、色検索キー、および決定キーを有している。そして、色一覧表示部は、ページ表示欄、選択欄、色見本表示欄、色番号表示欄、およびカラーネーム表示欄を有している。また、選択色表示部は、色番号表示欄、色見本表示欄、追加キー、および削除キーを有している。
【００３４】
図９に示す色情報選択／決定画面において、選択色表示部を目視で確認し、決定キーを操作すれば、図１０に示すように、色情報取得画面の該当欄に標準色システム（例えば、ＰＡＮＴＯＮＥ）の色番号、およびカラーネームが表示されるとともに、新たに色見本表示欄、および標準色システムの色一覧の表示を行わせるためのリストキー欄を追加表示し、該当する色見本を表示する。
【００３５】
したがって、図５から図９の画面を順次表示させ、該当箇所を入力し、もしくは選択することにより、ビーカ依頼を達成することができる。
【００３６】
また、図５に示す進捗照会データにおいては、各ビーカ依頼毎に、ビーカ依頼者名、中間業者名、染色業者名、品番、参照番号、明細キー、再依頼の有無の表示、色数、作成数を表示するとともに、ビーカ依頼者による依頼日、中間業者による依頼日、染色業者による受領日、染色業者による出荷日、中間業者による受領日、ビーカ依頼者による色確認日、希望納期、回答納期、見本出荷日、見本受領日のうち、該当する項目を表示し、現在進行中の項目に複数の矢印を右に流れるように表示している。
【００３７】
そして、この進捗照会データに対しては、ビーカ依頼者、中間業者、染色業者に何れもアクセスすることができるので、進捗状態をいつでも簡単に把握することができる。
【００３８】
また、図５に示す進捗照会データにおいて、所望のビーカ依頼に対応する明細キーを操作すれば、図１１に示すように、ビーカ仕上がり確認画面が表示される。このビーカ仕上がり確認画面は、品番表示欄、加工種別欄、企画年欄、シーズン欄、素材／混率欄、参照番号欄、希望納期欄、元見本出荷日欄、中間業者部署欄、担当者欄、染色業者欄、および依頼日欄からなる基本情報を有しているとともに、ビーカ依頼者の色番号表示欄および色名表示欄、標準色システムの色番号表示欄および色名表示欄、元見本有無表示欄、およびコメント欄からなる色明細を有し、しかも、基本情報キー、出荷先情報キー、コメントキー、染色業者回答内容キー、新規依頼キー、再利用キー、色確認キー、および変更連絡キーを有している。
【００３９】
図１１のビーカ仕上がり確認画面において色確認キーを操作すれば、図１２に示すように、色確認画面が表示される。この色確認画面は、品番表示欄、加工種別欄、企画年欄、シーズン欄、素材／混率欄、参照番号欄、希望納期欄、元見本出荷日欄、および依頼日欄からなる基本情報を有しているとともに、ビーカ依頼者の色番号表示欄および色名表示欄、標準色システムの色番号表示欄および色名表示欄、水準数ビーカ番号表示欄、再ビーカ指示欄、色取消指示欄、量産ＯＫ指示欄、見本ＯＫ指示欄、およびコメント数表示欄からなる色確認表を有し、しかも登録キーを有している。
【００４０】
図１２の色確認画面において再ビーカ指示がなされれば、図１３に示すように、再依頼画面が自動的に表示される。この再依頼画面においては、希望納期を再度入力することが必要になるとともに、例えば、コメント欄を再度入力することが必要になり、これらを入力し、依頼キーを操作することによって、図１４に示すように、必要データが入力された再依頼画面が表示される。したがって、再依頼表示を確認して確認キーを操作することによって、ビーカ再依頼がなされる。
【００４１】
なお、各キーは、操作されることにより、予め設定されている一連の処理を開始するものである。そして、以上において特に説明されていないキーに対応する処理は従来公知である。また、元見本に対応する欄が設けられているのは、元見本の利用を排除するのではなく、元見本の利用を併用してもよいことを示すためである。
【００４２】
図１５から図１９は上記の処理を説明するフローチャートである。なお、図１５は試色依頼処理を、図１６は補充入力処理を、図１７は試色納期回答処理を、図１８は出荷処理を、図１９は試色確認、再依頼処理を、それぞれ説明するフローチャートである。
【００４３】
図１５の処理は試色依頼者が行う処理であり、ステップＳＰ１において、試色進捗照会画面を表示するとともに、必要なデータの入力を可能にする。そして、ステップＳＰ２において、入力されたデータに対応させて試色依頼データベースからデータを読み出し、入力されたデータを追加して試色依頼データベースに書き込むことにより試色依頼入力を行い、ステップＳＰ３において、例えば、標準色システムの色番号が入力されているか否かに基づいて、色見本の選択が必要か否かを判定する。そして、色見本の選択が必要な場合には、ステップＳＰ４において、色見本データベースから該当する色見本を選択する。
【００４４】
そして、ステップＳＰ３において色見本の選択が必要でないと判定された場合、またはステップＳＰ４の処理が行われた場合には、そのまま一連の処理を終了する。
【００４５】
図１６は中間業者が行う処理であり、必要な場合にのみ行われる。
【００４６】
ステップＳＰ１において、試色進捗照会画面を表示するとともに、試色依頼が不十分である場合に必要なデータの入力を行う。そして、ステップＳＰ２において、入力されたデータに対応させて試色依頼データベースからデータを読み出し、入力されたデータを追加して試色依頼データベースに書き込むことにより試色依頼を補完し、そのまま一連の処理を終了する。
【００４７】
図１７は染色業者が行う処理であり、ステップＳＰ１において、試色進捗照会画面を表示するとともに、試色依頼があった場合に必要なデータの入力を行う。そして、ステップＳＰ２において、入力されたデータに対応させて試色依頼データベースからデータを読み出し、入力されたデータを追加して試色依頼データベースに書き込むことにより納期回答を行い、そのまま一連の処理を終了する。
【００４８】
図１８は染色業者が行う処理であり、ステップＳＰ１において、試色進捗照会画面を表示するとともに、ビーカ出荷が行われた場合に必要なデータの入力を行う。そして、ステップＳＰ２において、入力されたデータに対応させて試色依頼データベースからデータを読み出し、入力されたデータを追加して試色依頼データベースに書き込むことにより出荷入力を行い、そのまま一連の処理を終了する。
【００４９】
図１９は試色依頼者が行う処理であり、ステップＳＰ１において、試色進捗照会画面を表示するとともに、ビーカを受け取った場合に必要なデータの入力を行う。そして、ステップＳＰ２において、試色仕上がりが良好か否かを判定する。
【００５０】
試色仕上がりが良好であると判定された場合には、ステップＳＰ３において、試色確認を表すデータを試色依頼データベースに書き込んで試色確認入力を行う。
【００５１】
逆に、ステップＳＰ２において試色仕上がりが良好でないと判定された場合には、ステップＳＰ４において、該当するデータを試色依頼データベースから読み出し、少なくとも一部を変更して試色依頼データベースに書き込むことにより再試色依頼データ自動作成処理を行う（自動作成のためのデータ入力は既に行われている）。
【００５２】
そして、ステップＳＰ３の処理、またはステップＳＰ４の処理が行われた場合には、そのまま一連の処理を終了する。
【００５３】
さらに、以上には中間業者が介在する場合についてのみ説明したが、中間業者が介在しない場合にも適用可能である。
【００５４】
以上の実施の形態を採用すれば、実際の色見本の送付を必要とすることなく、試色依頼者が要求する色を試色業者に伝えることを可能とし、この結果、全体としての所要時間を大幅に短縮することができ、しかも、誰でも簡単に進捗状況を把握することができる。
【００５５】
【発明の効果】
請求項１の発明は、実際の色見本の送付を必要とすることなく、試色依頼者が要求する色を試色業者に伝えることを可能とし、この結果、全体としての所要時間を大幅に短縮することができ、しかも、誰でも簡単に進捗状況を把握することができるという特有の効果を奏する。
【００５６】
請求項２の発明は、中間業者が介在する場合でも、請求項１と同様の作用を達成することができる。
【図面の簡単な説明】
【図１】従来のビーカ依頼の流れを説明する概略図である。
【図２】本発明の試色処理システムの一実施形態としてのビーカ依頼システムを示す概略図である。
【図３】本発明の試色処理システムの他の実施形態としてのビーカ依頼システムを示す概略図である。
【図４】ビーカ依頼システムの作用を説明するフロー図である。
【図５】進捗照会データの一例を示す図である。
【図６】試色依頼データ入力画面の一例を示す図である。
【図７】色情報取得画面の一例を示す図である。
【図８】色情報詳細表示画面の一例を示す図である。
【図９】色情報選択／決定画面の一例を示す図である。
【図１０】色情報取得画面の他の例を示す図である。
【図１１】ビーカ仕上がり確認画面の一例を示す図である。
【図１２】色確認画面の一例を示す図である。
【図１３】再依頼画面の一例を示す図である。
【図１４】必要データが入力された再依頼画面の一例を示す図である。
【図１５】試色依頼処理を説明するフローチャートである。
【図１６】補充入力処理を説明するフローチャートである。
【図１７】試色納期回答処理を説明するフローチャートである。
【図１８】出荷処理を説明するフローチャートである。
【図１９】試色確認、再依頼処理を説明するフローチャートである。
【図１】
2004220349.tif 000003
【図２】
2004220349.tif 000004
【図３】
2004220349.tif 000005
【図４】
2004220349.tif 000006
【図５】
2004220349.tif 000007
【図６】
2004220349.tif 000008
【図７】
2004220349.tif 000009
【図８】
2004220349.tif 000010
【図９】
2004220349.tif 000011
【図１０】
2004220349.tif 000012
【図１１】
2004220349.tif 000013
【図１２】
2004220349.tif 000014
【図１３】
2004220349.tif 000015
【図１４】
2004220349.tif 000016
【図１５】
2004220349.tif 000017
【図１６】
2004220349.tif 000018
【図１７】
2004220349.tif 000019
【図１８】
2004220349.tif 000020
【図１９】
2004220349.tif 000021